(57)【要約】【課題】航空機において、特に着陸時における安全確保を達成するとともに車輪の消耗を少なくすることが可能な航空機用車輪空転装置を提供すること。【解決手段】空気取入れ口（２０２）を備えたケーシング（２）と、該ケーシング（２）内に回動自在に備えられ、前記空気取入れ口（２０２）より取入れた空気を受けることにより回転するとともにその回転を航空機の車輪に伝えるための駆動手段（３）とを備えたことを特徴としており、ケーシング（２）を航空機の車輪部分におけるフォークに連結し、更に、駆動手段（３）の任意の箇所を航空機の車輪のホイール等に連結することにより、航空機が受ける空気抵抗を動力としてクロスローター、タービン等の駆動手段を回動させるとともにこの回転を航空機の車輪に伝導させ、これにより滑走路等への接地前に航空機の車輪を空転させることを可能とした。【選択図】              図１
2004203223.tif 000002
【特許請求の範囲】
【請求項１】
航空機の車輪を空転させるために用いられる航空機用車輪空転装置であって、
空気取入れ口（２０２）を備えたケーシング（２）と、
該ケーシング（２）内に回動自在に備えられ、前記空気取入れ口（２０２）より取入れた空気を受けることにより回動するとともにその回転を航空機の車輪に伝えるための駆動手段（３）と、を備えたことを特徴とする航空機用車輪空転装置。
【請求項２】
前記駆動手段（３）がクロスローターであることを特徴とする請求項１に記載の航空機用車輪空転装置。
【請求項３】
前記駆動手段（３）がタービンであることを特徴とする請求項１に記載の航空機用車輪空転装置。
【発明の詳細な説明】
【０００１】
【発明の属する技術分野】
本発明は航空機用車輪空転装置に係り、より詳しくは、空気取入れ口を備えたケーシング内に、前記空気取入れ口より取入れた空気により回転するとともにその回転を航空機の車輪に伝えるための駆動手段を回動自在に備えて、ケーシングを航空機の車輪用フォークに連結し、前記駆動手段を航空機の車輪のホイール等に連結することにより、空気取入れ口より取入れた空気によって駆動手段を回転させるとともに、この回転を航空機の車輪に伝導させて、これにより航空機の車輪を空転可能とする航空機用車輪空転装置に関する。
【０００２】
【従来の技術及び発明が解決しようとする課題】
一般的に、航空機においては、車輪を駆動させるための手段は備えておらず、そのために、航空機の車輪は空転するのみであり、それにより、特に着陸時には車輪には大きな衝撃が加わる。
【０００３】
即ち、着陸時において航空機の車輪は、滑走路等への接地前は全く回転しておらず、接地することにより空転を始めるが、このとき、航空機は時速約１５０〜３００ｋｍのスピードであるために、接地することにより、０回転から瞬時に２０００回転程度に空転を始め、その際に、大きな衝撃を受けるとともに大きく変形することが知られている。
【０００４】
このように、航空機の車輪は、着陸時において大きな衝撃を受けるために、バースト等の危険が常に付きまとうとともに、車輪の変形等が著しいとともに消耗が大きいために短期間の使用で交換をする必要があるためにコストが著しく高くなるという問題点が指摘されている。
【０００５】
そこで、本発明は、特に着陸時における安全確保を達成するとともに、車輪の消耗を少なくすることが可能な航空機用車輪空転装置を提供することを課題としている。
【０００６】
【課題を解決するための手段】
ところで、前述したように、航空機では一般的に、着陸時には時速１５０ｋｍ〜３００ｋｍの速度を出しているために大きな空気抵抗を受けている。そこで、本発明者は、この空気抵抗を利用して航空機の車輪を空転させ、これにより航空機の車輪が接地時に受ける衝撃を軽減する方法を発明した。
【０００７】
即ち、本発明の航空機用車輪空転装置は、航空機の車輪を空転させるために用いられる航空機用車輪空転装置であって、空気取入れ口を備えたケーシングと、
該ケーシング内に回動自在に備えられ、前記空気取入れ口より取入れた空気を受けることにより回転するとともにその回転を航空機の車輪に伝えるための駆動手段と、を備えたことを特徴としている。
【０００８】
本発明の航空機用車輪空転装置は、クロスローター、タービン等の駆動装置をケーシング内に回動自在に備えるとともに、ケーシングには、内部に空気を取りいれるための空気取入れ口を備えており、この構成により、空気取入れ口よりケーシング内部に空気を取り入れることにより、ケーシング内部に備えた駆動手段を回動可能としている。
【０００９】
そして、これを使用する場合には、例えば、ケーシングを、空気取入れ口が進行方向側へ向くようにして、航空機の車輪における車軸に嵌装するとともに車輪のフォークに連結し、更に、駆動手段の任意の箇所を航空機の車輪のホイール等に連結する。
【００１０】
この状態において、着陸時において航空機本体から車輪部分を外に出すと、空気取入れ口よりケーシング内部に空気が取り入れられるとともに、この取り入れた空気により、クロスローター、タービン等の駆動手段が回動する。そうすると、駆動手段には車輪のホイール等が連結されているために、駆動手段の回転が車輪に車輪に伝導し、これにより、滑走路等への接地前に航空機の車輪を空転させることが可能となる。
【００１１】
そのため、滑走路等へ接地した瞬時に高速回転を始める場合と異なり、車輪が受ける衝撃を緩和することができ、バースト等の危険を未然に防止可能であるとともに、車輪の変形、磨耗等を有効に防止可能であるために車輪の寿命を長くしてコストを低減することが可能である。
【００１２】
【発明の実施の形態】
本発明の航空機用車輪空転装置は、使用に際して航空機の車輪の車軸に嵌装されるとともにフォーク等に連結されるケーシングを備えており、このケーシングには、その内部に空気を取り入れるための空気取入れ口が形成されている。
【００１３】
そして、このケーシングの内部には、前記空気取入れ口より取り入れた空気を受け入れることにより回転するとともにその回転を航空機の車輪に伝えるための駆動手段が回動自在に備えられており、この駆動手段は、使用に際しては航空機の車輪のホイール等に連結される。
【００１４】
ここで、前記駆動手段としては、例えばクロスローターやタービン等を用いるとよく、これにより、容易に空気抵抗を回転力に変換することが可能である。
【００１５】
【実施例】
本発明の航空機用車輪空転装置の実施例について図面を参照して説明すると、図１は本実施例の航空機用車輪空転装置を示す斜視図であり、図において１が本実施例の航空機用車輪空転装置である。
【００１６】
そして、図において２はケーシングであり、即ち、本実施例における航空機用車輪空転装置は、使用に際して航空機用車輪を支持するためのフォークに装着されるケーシング２を備えており、本実施例においてこのケーシング２は、中空の略円柱形状としている。
【００１７】
ここで、図２は、前記ケーシング２を示す斜視図であり、本実施例におけるケーシング２は、前述したように中空の略円柱形状としており、両側面部分にはそれぞれ、窓部２０１が形成されている。
【００１８】
また、外周任意の箇所には、開口部２０３を備えた空気取入れ口２０２が形成されており、この空気取入れ口２０２における前記開口部２０３はケーシング２の内部に連通している。そしてこれにより、空気取入れ口２０２を介して、ケーシング２の内部に空気を取り入れることを可能としている。
【００１９】
次に、本実施例において前記ケーシング２の内部には、空気を受け入れることにより回動する駆動手段３が装備されている。
【００２０】
ここで、図３は、この駆動手段を説明するための分解図であり、本実施例において前記駆動手段３は、前記ケーシング２内に回動自在に装備されるクロスローター４と、このクロスローター４に連結され、クロスローター４の回転を航空機の車輪に伝えるための出力軸５とを備えている。
【００２１】
そして、前記クロスローター４は、それぞれが貫通孔４０３を有する一対の略ドーナツ状のプレート４０１と、この一対のプレート４０１を連通する複数枚の板状の羽部４０２とを備えており、前記羽部４０２は、その面が前記プレート４０１の面と直交する方向に向くようにして前記一対のプレート４間に等間隔を置いて装備されている。
【００２２】
また、前記出力軸５は、前記クロスローター４におけるプレート４０１に装着される略円筒形状の駆動部５０１と、この駆動部５０１に連設された、貫通孔５０３を備えた略リング形状の出力部５０２とを備えており、ボルト等により前記クロスローター４におけるプレート４０１の一方に固定されている。
【００２３】
更に、本実施例において、前記出力部５０２にはボルト孔が形成され、このボルト孔を介して、前記出力部５０２は航空機の車輪におけるホイール等に固定され、これにより前記クロスローター４の回転を航空機の車輪に伝えることを可能としている。
【００２４】
そして、このように構成される駆動手段３は、前記クロスローター４が前記ケーシング２内に位置するとともに、前記出力軸５が前記ケーシング２の窓部２０１から露出可能な配置において、前記ケーシング２内に装備されており、使用に際しては航空機の車輪部分における車軸７に嵌装される。この状態における概略の縦断面図が図４である。
【００２５】
次に、このように構成される本実施例の航空機用車輪空転装置１の使用方法について図５を参照して説明すると、図５において１０は航空機の車輪部分であり、６は航空機の車輪を支持するためのフォークである。そして、このフォーク６には、車軸７を介してホイール８が連結されており、このホイールの外周側にタイヤ９が装備されている。
【００２６】
そして、このように構成される航空機の車輪部分に本実施例の航空機用車輪空転装置１を装着する場合には、図５に示すように、まず、空気取入れ口２０２が航空機の進行方向に向くような配置において、航空機の車輪部分における車軸７が、出力軸５の貫通孔５０３、クロスローター４を構成する一対のプレート４０１のそれぞれの貫通孔４０３、更にケーシング２における反出力軸側を貫通するようにして、本実施例の航空機用車輪空転装置１を、航空機の車輪部分の車軸７に嵌装するとともに、ケーシング２を前記フォーク６等に固定する。
【００２７】
そして、それとともに、前記出力軸５を、車輪のホイール８あるいはハブ等に固定して、これによって、クロスローター４の回転がタイヤ９に伝わるようにする。
【００２８】
そうすると、この状態で前記空気取入れ口２０２よりケーシング２の内部に空気が取り入れられると。それによりクロスローター４が回転するとともに出力軸５も回転し、出力軸５を介してクロスローター４の回転がホイール８に伝わり、これによりタイヤ９が空転する。そのため、本実施例の航空機用車輪空転装置１を用いることにより、着陸時において、車輪部分を出した後車輪部分が滑走路に接地するまでの間は、航空機が受ける空気抵抗を動力源として車輪を空転させることができる。
【００２９】
このように、本実施例の航空車輪空転装置を用いることにより、着陸時において滑走路等に接地する前に車輪を空転させることが可能となるために、接地した瞬時に車輪が高速で回転する場合と異なり、車輪が受ける衝撃を緩和することができ、これにより、車輪の大きな変形等によるバースト等を未然に防止してより安全な着陸を達成することができるとともに、タイヤ部分の磨耗を少なくしてタイヤの交換頻度を少なくし、これによりコストを押えることが可能となる。
【００３０】
なお、前述の実施例においては、クロスローターに出力軸を連結するとともにこの出力軸をホイール等に連結する構成としたが、クロスローターの回転をホイールに伝えることが可能であればいずれの方法を採用してもよく、必ずしも出力軸を用いる必要はない。
【００３１】
また、駆動手段としては必ずしもクロスローターを用いる必要は無く、空気取入れ口より取り入れた空気により回転するとともにその回転を車輪に伝えることが可能なものであればいずれの手段を用いてもよく、例えばタービン等をケーシング内に装備してもよい。
【００３２】
【発明の効果】
本発明の航空機車輪空転装置は以上説明した形態で実施され、以下に記載するような効果を奏する。
【００３３】
本発明の航空機用車輪空転装置は、航空機の車輪を空転させるために用いられる航空機用車輪空転装置であって、空気取入れ口を備えたケーシングと、該ケーシング内に回動自在に備えられ、前記空気取入れ口より取入れた空気を受けることにより回転するとともにその回転を航空機の車輪に伝えるための駆動駆動手段と、を備えたことを特徴としており、この構成により、空気取入れ口よりケーシング内部に空気を取り入れることにより、ケーシング内部に備えた駆動手段を回動可能としている。
【００３４】
そのため、ケーシングを、空気取入れ口が進行方向側へ向くようにして、航空機の車輪における車軸に嵌装するとともに車輪のフォークに連結し、更に、駆動手段の任意の箇所を航空機の車輪のホイール等に連結することにより、航空機が受ける空気抵抗を動力としてクロスローター、タービン等の駆動手段を回動させるとともにこの回転を航空機の車輪に伝導させ、これにより、滑走路等への接地前に航空機の車輪を空転させることが可能となる。
【００３５】
従って、本発明を用いることにより、滑走路等へ接地した瞬時に高速回転を始める場合と異なり、車輪が受ける衝撃を緩和することができ、バースト等の危険を未然に防止可能であるとともに、車輪の変形、磨耗等を有効に防止可能であるために車輪の寿命を長くしてコストを低減することが可能である。
【図面の簡単な説明】
【図１】本発明の航空機用車輪空転装置の実施例を示す斜視図である。
【図２】本発明の航空機用車輪空転装置の実施例に用いられケーシングを示す斜視図である。
【図３】本発明の航空機用車輪空転装置の実施例に用いられ駆動手段を説明するための分解図である。
【図４】本発明の航空機用車輪空転装置の実施例の概略縦断面図である。
【図５】本発明の航空機用車輪空転装置の実施例を航空機の車輪部分に装着した状態を示す図である。
【符号の説明】
１    航空機用車輪空転装置
２    ケーシング
２０１    窓部
２０２    空気取入れ口
２０３    開口部
３    駆動手段
４    クロスローター
４０１    プレート
４０２    羽部
４０３    貫通孔
５    出力軸
５０１    駆動部
５０２    出力部
５０３    貫通孔
６    フォーク
７    車軸
８    ホイール
９    タイヤ
１０    航空機の車輪部分
【図１】
2004203223.tif 000003
【図２】
2004203223.tif 000004
【図３】
2004203223.tif 000005
【図４】
2004203223.tif 000006
【図５】
2004203223.tif 000007